(57)【要約】【課題】ボウル部の表面の全体が略均一に且つ同時に照射されるトイレ装置を提供することを目的とする。【解決手段】便器のボウル部の内部に紫外線を照射する光出射部を有し、前記ボウル部の内部に移動可能とされた光源装置を備え、前記光出射部が前記ボウル部に前記紫外線を照射すると、前記ボウル部の全体が照射され、前記光源装置は、前記ボウル部の内部に移動した状態において、前記ボウル部の内部における前記光源装置の位置を変化させることにより前記ボウル部の各表面における照射強度を変化させることを特徴とするトイレ装置が提供される。【選択図】図３
2013209861.tif 000002
【特許請求の範囲】
【請求項１】
便器のボウル部の内部に紫外線を照射する光出射部を有し、前記ボウル部の内部に移動可能とされた光源装置を備え、
前記光出射部が前記ボウル部に前記紫外線を照射すると、前記ボウル部の全体が照射され、
前記光源装置は、前記ボウル部の内部に移動した状態において、前記ボウル部の内部における前記光源装置の位置を変化させることにより前記ボウル部の各表面における照射強度を変化させることを特徴とするトイレ装置。
【請求項２】
前記ボウル部の表面に光触媒層が形成されたことを特徴とする請求項１記載のトイレ装置。
【請求項３】
使用者の身体を洗浄する洗浄ノズルをさらに備え、
前記光源装置は、前記洗浄ノズルに設けられたことを特徴とする請求項１または２に記載のトイレ装置。
【請求項４】
使用者の身体を洗浄する洗浄ノズルと、
前記光源装置を収納可能なトイレ装置本体と、
をさらに備え、
前記光源装置は、棒形状を呈し前記洗浄ノズルとは別体として設けられ、前記紫外線を照射しないときには前記トイレ装置本体に収納され、前記紫外線を照射するときには前記棒形状の軸方向へ移動し前記トイレ装置本体から前記ボウル部の内部へ進出することを特徴とする請求項１または２に記載のトイレ装置。
【請求項５】
前記光源装置は、左右方向の成分を有する方向に移動することで前記ボウル部の内部における前記光源装置の位置を変化させることを特徴とする請求項３または４に記載のトイレ装置。
【請求項６】
前記光源装置は、上下方向の成分を有する方向に移動することで前記ボウル部の内部における前記光源装置の位置を変化させることを特徴とする請求項３または４に記載のトイレ装置。
【請求項７】
前記光源装置は、前記上下方向の成分を有する方向への移動範囲のうちの最下端に位置において前記紫外線の照射を開始することを特徴とする請求項６記載のトイレ装置。
【請求項８】
トイレ装置本体と、
前記トイレ装置本体に対して回動自在に設けられた便座と、
便器のボウル部の内部に紫外線を照射する光出射部を有し、前記ボウル部の内部に移動可能とされた光源装置と、
前記光出射部が放射した前記紫外線の少なくとも一部を反射し、前記紫外線が前記トイレ装置本体および前記便座に照射されることを抑制する反射体と、
を備え、
前記光出射部が前記ボウル部に前記紫外線を照射すると、前記ボウル部の全体が照射され、
前記光源装置は、前記ボウル部の内部に移動した状態において、前記ボウル部の内部における前記光源装置の位置を変化させることにより前記ボウル部の各表面における照射強度を変化させることを特徴とするトイレ装置。
【発明の詳細な説明】
【技術分野】
【０００１】
本発明の態様は、一般的に、トイレ装置に関する。
【背景技術】
【０００２】
便器に対して紫外線を照射して、ボウル面を殺菌できる。また、ボウル面に光触媒層が形成された便器に対して紫外線を照射して、ボウル面の防汚性を高めることができる。例えば、軸方向に進退自在であるノズルの噴射孔から人体局部に洗浄水を噴射して局部洗浄する局部洗浄装置のノズルに、便器内部を殺菌するための殺菌灯を備え、この殺菌灯が紫外ＬＥＤからなる殺菌機能付便器がある（特許文献１）。また、シリンダに対してノズル本体を前進後退させつつ、シリンダを回転させて鉢面内の全域に紫外線を照射する防汚設備がある（特許文献２）。
【０００３】
特許文献１に記載された殺菌機能付便器によれば、ノズルが軸方向に進退自在であるので、ボウル面の全体に対して紫外線を照射することができる。特許文献２に記載された防汚設備によれば、各ボウル面と光出射部との距離を可変させて、紫外線を照射し、ボウル面の全体に対して紫外線を照射することができる。
【０００４】
しかし、特許文献１に記載された殺菌機能付便器および特許文献２に記載された防汚設備では、紫外線がボウル面の一部分に照射され、その照射範囲が鉢面内の全域にわたって移動する。また、紫外線の照射は、使用者が不在のときに行うことが望ましい。そのため、使用頻度が比較的高いトイレ装置では、ボウル面の一部は、十分に殺菌できない状態が続くという問題がある。また、使用者の不在時間が比較的短い場合には、殺菌された箇所と殺菌されていない箇所とが生ずる。これによれば、ボウル面の一部だけに汚れが付着するおそれがある。
【０００５】
また、光触媒層を励起させる場合において、紫外線の照射を止めると、十分な防汚性を発揮していた励起状態が時間の経過とともに鈍化する。そのため、ボウル面が部分的に照射される方法では、最初に紫外線を照射した部分のボウル面の励起状態が最後に紫外線を照射した部分のボウル面の励起状態よりも鈍化しているおそれがある。これによれば、ボウル面の全体において十分な防汚性を発揮させることができないという問題がある。
【先行技術文献】
【特許文献】
【０００６】
【特許文献１】特開２００７−１７００５１号公報
【特許文献２】特開２００６−３１６６０７号公報
【発明の概要】
【発明が解決しようとする課題】
【０００７】
本発明は、かかる課題の認識に基づいてなされたものであり、ボウル部の表面の全体が略均一に且つ同時に照射されるトイレ装置を提供することを目的とする。
【課題を解決するための手段】
【０００８】
第１の発明は、便器のボウル部の内部に紫外線を照射する光出射部を有し、前記ボウル部の内部に移動可能とされた光源装置を備え、前記光出射部が前記ボウル部に前記紫外線を照射すると、前記ボウル部の全体が照射され、前記光源装置は、前記ボウル部の内部に移動した状態において、前記ボウル部の内部における前記光源装置の位置を変化させることにより前記ボウル部の各表面における照射強度を変化させることを特徴とするトイレ装置である。
【０００９】
このトイレ装置によれば、ボウル部の表面の全体が光源装置の光出射部からの紫外線により照射される。また、ボウル部内における光源装置の位置が変化し、光出射部とボウル部の各表面との距離が変化することにより、ボウル部の表面における照射強度が調整される。そのため、ボウル部の表面の全体が略均一に且つ略同時に紫外線により照射される。そのため、ボウル部の表面の全体が略均一に且つ略同時に殺菌される。そのため、殺菌が十分な箇所と、殺菌が不十分な箇所と、が生ずることを抑えることができる。
【００１０】
また、ボウル部の各表面における照射強度が調整されることにより、ボウル部への紫外線の照射時間をより短時間に抑えることができる。そのため、光出射部の長寿命化を図ることができるとともに、ボウル部の表面の全体をより短時間で殺菌することができる。これにより、使用頻度が比較的高いトイレ装置であっても、使用者がトイレ装置を使用するごとに、ボウル部の表面を十分に殺菌することができる。
【００１１】
また、第２の発明は、第１の発明において、前記ボウル部の表面に光触媒層が形成されたことを特徴とするトイレ装置である。
【００１２】
このトイレ装置によれば、ボウル部の表面に光触媒層が形成されているため、ボウル部の表面に光触媒層が形成されている場合には、ボウル部の表面の全体が略均一に且つ略同時に励起状態となる。そのため、防汚性を発揮する励起状態が十分な箇所と、励起状態が不十分な箇所と、が生ずることを抑えることができる。また、ボウル部の表面の全体をより短時間で励起状態とすることができるため、使用頻度が比較的高いトイレ装置であっても、使用者がトイレ装置を使用するごとに、ボウル部の表面の防汚状態を維持することができる。
【００１３】
また、第３の発明は、第１または第２の発明において、使用者の身体を洗浄する洗浄ノズルをさらに備え、前記光源装置は、前記洗浄ノズルに設けられたことを特徴とするトイレ装置である。
【００１４】
このトイレ装置によれば、光源装置が洗浄ノズルに設けられているため、洗浄ノズルを収納する収納スペースとは別の収納スペースを確保する必要はない。また、光源装置をボウル部に対して進退自在とする駆動装置を、洗浄ノズルの駆動装置とは別に設ける必要はない。そのため、より簡単な構造で紫外線の照射を可能とすることができる。
【００１５】
また、第４の発明は、第１または第２の発明において、使用者の身体を洗浄する洗浄ノズルと、前記光源装置を収納可能なトイレ装置本体と、をさらに備え、前記光源装置は、棒形状を呈し前記洗浄ノズルとは別体として設けられ、前記紫外線を照射しないときには前記トイレ装置本体に収納され、前記紫外線を照射するときには前記棒形状の軸方向へ移動し前記トイレ装置本体から前記ボウル部の内部へ進出することを特徴とするトイレ装置である。
【００１６】
このトイレ装置によれば、光源装置が洗浄ノズルとは別体として設けられているため、光源装置が洗浄ノズルと一体的に設けられた場合と比較すると、より簡単な構造で光源装置の位置をより複雑に変化させることができる。また、光源装置は、棒形状の軸方向に進出することができるため、ボウル部の前端部の近傍まで移動し、ボウル部の前端部に対して紫外線をより確実に照射することができる。
【００１７】
また、第５の発明は、第３または第４の発明において、前記光源装置は、左右方向の成分を有する方向に移動することで前記ボウル部の内部における前記光源装置の位置を変化させることを特徴とするトイレ装置である。
【００１８】
このトイレ装置によれば、光源装置は、左右方向の成分を有する方向への移動という比較的簡単な移動動作により光出射部とボウル部の各表面との距離を変化させ、ボウル部の各表面における紫外線の照射強度を変化させることができる。
【００１９】
また、第６の発明は、第３または第４の発明において、前記光源装置は、上下方向の成分を有する方向に移動することで前記ボウル部の内部における前記光源装置の位置を変化させることを特徴とするトイレ装置である。
【００２０】
このトイレ装置によれば、光源装置は、上下方向の成分を有する方向への移動という比較的簡単な移動動作により光出射部とボウル部の各表面との距離を変化させ、ボウル部の各表面における紫外線の照射強度を変化させることができる。また、光源装置は、上下方向の成分を有する方向への移動および左右方向の成分を有する方向への移動を行う場合には、ボウル部の細部にわたって紫外線の照射強度を調整することができる。
【００２１】
また、第７の発明は、第６の発明において、前記光源装置は、前記上下方向の成分を有する方向への移動範囲のうちの最下端に位置において前記紫外線の照射を開始することを特徴とするトイレ装置である。
【００２２】
このトイレ装置によれば、ボウル部のうちで最も汚れやすいトラップ部の近傍の殺菌および防汚性を紫外線の照射の動作の最初に確保することができる。そのため、紫外線の照射中に使用者がトイレ室に入室しトイレ装置を使用しても、ボウル部のうちで最も汚れやすい箇所の殺菌および防汚性をより確実に確保することができる。
【００２３】
また、第８の発明は、トイレ装置本体と、前記トイレ装置本体に対して回動自在に設けられた便座と、便器のボウル部の内部に紫外線を照射する光出射部を有し、前記ボウル部の内部に移動可能とされた光源装置と、前記光出射部が放射した前記紫外線の少なくとも一部を反射し、前記紫外線が前記トイレ装置本体および前記便座に照射されることを抑制する反射体と、を備え、前記光出射部が前記ボウル部に前記紫外線を照射すると、前記ボウル部の全体が照射され、前記光源装置は、前記ボウル部の内部に移動した状態において、前記ボウル部の内部における前記光源装置の位置を変化させることにより前記ボウル部の各表面における照射強度を変化させることを特徴とするトイレ装置である。
【００２４】
このトイレ装置によれば、反射体が光源装置から放射された紫外線を反射することで、例えば樹脂などで形成された便座やトイレ装置に紫外線が照射されることを抑制することができる。そのため、紫外線が樹脂などに照射された場合に生ずる変色や強度低下などの問題を抑えることができる。  
また、第１の発明に関して前述した効果と同様の効果が得られる。
【発明の効果】
【００２５】
本発明の態様によれば、ボウル部の表面の全体が略均一に且つ同時に照射されるトイレ装置が提供される。
【図面の簡単な説明】
【００２６】
【図１】本発明の実施の形態にかかるトイレ装置を表す模式的斜視図である。
【図２】本実施形態の洗浄ノズルを表す模式的断面図である。
【図３】本実施形態の光源装置の移動動作の具体例を例示する模式的平面図である。
【図４】本実施形態の光源装置の移動動作の他の具体例を例示する模式的平面図である。
【図５】本実施形態の光源装置の移動動作のさらに他の具体例を例示する模式的断面図である。
【図６】本発明の他の実施の形態にかかるトイレ装置を表す模式的斜視図である。
【図７】本実施形態の光源装置を表す模式的断面図である。
【図８】本実施形態の光源装置の移動動作の具体例を例示する模式的平面図である。
【図９】本実施形態の光源装置の移動動作の他の具体例を例示する模式的平面図である。
【図１０】本実施形態の光源装置の移動動作の変形例を例示する模式的断面図である。
【図１１】本発明のさらに他の実施の形態にかかるトイレ装置の洗浄ノズルを表す模式的断面図である。
【図１２】本発明のさらに他の実施の形態にかかるトイレ装置の光源装置を表す模式的断面図である。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
また、図２は、本実施形態の洗浄ノズルを表す模式的断面図である。  
なお、図２は、図１に表した切断面Ａ−Ａにおける断面模式図である。
【００２８】
図１に表したトイレ装置１０は、洋式腰掛便器（以下説明の便宜上、単に「便器」と称する）８００と、その上に設けられた衛生洗浄装置１００と、を備える。衛生洗浄装置１００は、ケーシング（トイレ装置本体）４００と、便座２００と、便蓋３００と、を有する。便座２００と便蓋３００とは、ケーシング４００に対して開閉自在にそれぞれ軸支されている。但し、便蓋３００は、必ずしも設けられていなくともよい。
【００２９】
便器８００は、ボウル部８０１を有する。ボウル部８０１の表面には、光触媒層が形成されている。但し、光触媒層は、必ずしも形成されていなくともよい。  
本願明細書において、「光触媒」とは、光を照射すると、酸化作用および還元作用の少なくともいずれかが促進されるものをいう。その結果、雑菌や細菌や臭気物質などの有機物を分解する分解作用と、表面が水に濡れやすい親水作用と、を得ることができる。光触媒層が形成されたボウル部８０１は、汚物の付着を抑制したり、汚物を分解したり、付着した水垢を容易に除去できるため、便器８００の清掃負担を軽減し、きれいな便器８００を維持することができる。
【００３０】
具体的には、光触媒層が形成されたボウル部８０１の表面に紫外線を照射すると、その紫外線および空気中の水や酸素などにより、ボウル部８０１の表面に活性酸素が発生する。その活性酸素は、ボウル部８０１の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、ボウル部８０１の表面の殺菌や防汚や防臭を行うことができる。
【００３１】
また、光触媒層が形成されたボウル部８０１の表面に紫外線を照射すると、その表面には周囲の水との結合による親水基（−ＯＨ）が表出する。これにより、ボウル部８０１の表面は、水になじむようになり、濡れやすくなる（親水作用）。すなわち、ボウル部８０１の表面には水滴ができず、水が表面に濡れ広がるようになる。そして、予めボウル部８０１の表面を親水化することにより、汚れは、ボウル部８０１の表面に濡れ広がった水の表面に付着することになる。さらに、ボウル部８０１の洗浄に用いる洗浄水がボウル部８０１の表面とその表面に付着した汚れとの間に入り込み、汚れを浮かして流す。そのため、光触媒の親水作用により、ボウル部８０１の表面の防汚や防曇が可能となる。
【００３２】
これらによれば、紫外線の照射と、光触媒の分解作用および親水作用と、の相乗効果により効果的にボウル部８０１の殺菌や防汚や防臭を行うことができる。このような「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）などを挙げることができる。これらのうちでも、特に、酸化チタンは、光触媒として活性であり、また、安定性や安全性などの点でも優れる。
【００３３】
なお、本願明細書において、「紫外線」とは、可視光線よりも波長が短く、軟Ｘ線よりも波長が長い光をいう。具体的には、波長が１０ナノメートル〜４００ナノメートルの光をいう。
【００３４】
ケーシング４００の内部には、洗浄ノズル４１０が設けられている。図１に表した矢印Ａ１のように、洗浄ノズル４１０は、ケーシング４００内からボウル部８０１内へ進出したり、ボウル部８０１内からケーシング４００内へ後退することができる。つまり、洗浄ノズル４１０は、ボウル部８０１に対して進退自在に設けられている。なお、図１に表したトイレ装置１０では、洗浄ノズル４１０がボウル部８０１内に進出した状態を表している。
【００３５】
図２に表したように、洗浄ノズル４１０は、洗浄ノズル本体４１１と、流路４１３と、を有する。流路４１３は、洗浄ノズル本体４１１の内部に設けられている。また、洗浄ノズル本体４１１の内部には、光源装置４３０が設けられている。光源装置４３０は、洗浄ノズル４１０のボウル部８０１に対する進退動作に伴い、ケーシング４００内からボウル部８０１内へ進出したり、ボウル部８０１内からケーシング４００内へ後退することができる。なお、光源装置４３０は、例えば洗浄ノズル本体４１１の外部の表面に付設されていてもよい。
【００３６】
光源装置４３０は、紫外線を放射する光出射部４３１を有する。図２に表した矢印のように、洗浄ノズル４１０を長手方向あるいは進退方向にみたときに、光出射部４３１は、あらゆる方向へ紫外線を放射することができる。一方、洗浄ノズル本体４１１および流路４１３は、紫外線に対して透過性を有する材料により形成されている。そのため、光源装置４３０がボウル部８０１内へ進出した状態において、光出射部４３１が紫外線を放射すると、ボウル部８０１の全体が光出射部４３１からの紫外線により照射される。
【００３７】
また、ケーシング４００の内部には、便座２００に座った使用者の人体局部（身体）の洗浄を実現する局部洗浄機能部などが内蔵されている。また、例えばケーシング４００には、使用者が便座２００に座ったことを検知する着座検知センサ４０１が設けられている。着座検知センサ４０１が便座２００に座った使用者を検知している場合において、使用者が例えば図示しないリモコンなどの操作部を操作すると、洗浄ノズル４１０を便器８００のボウル８０１部内に進出させることができる。
【００３８】
洗浄ノズル４１０の先端部には、ひとつあるいは複数の吐水孔４１５が設けられている。そして、洗浄ノズル４１０は、流路４１３の内部を導かれた水を、その先端部に設けられた吐水孔４１５から噴射して、便座２００に座った使用者の人体局部を洗浄することができる。例えば、図１に表した洗浄ノズル４１０では、ふたつの吐水孔４１５のうちの一方の吐水孔４１５は、ビデ洗浄用の吐水孔であり、他方の吐水孔４１５は、おしり洗浄用の吐水孔である。なお、本願明細書において「水」という場合には、冷水のみならず、加熱されたお湯も含むものとする。
【００３９】
本実施形態の光源装置４３０は、ボウル部８０１内へ進出した状態において、ボウル部８０１内における光源装置４３０自身の位置を変化させることができる。これにより、光源装置４３０の光出射部４３１から放射された紫外線のボウル部８０１の各表面における照射強度が変化する。
【００４０】
本実施形態によれば、ボウル部８０１の表面の全体が光源装置４３０の光出射部４３１からの紫外線により照射される。また、ボウル部８０１内における光源装置４３０の位置が変化し、光出射部４３１とボウル部８０１の各表面との距離が変化することにより、ボウル部８０１の表面における照射強度が調整される。そのため、ボウル部８０１の表面の全体が略均一に且つ略同時に紫外線により照射される。そのため、ボウル部８０１の表面の全体が略均一に且つ略同時に殺菌される。そのため、殺菌が十分な箇所と、殺菌が不十分な箇所と、が生ずることを抑えることができる。
【００４１】
また、ボウル部８０１の各表面における照射強度が調整されることにより、ボウル部８０１への紫外線の照射時間をより短時間に抑えることができる。そのため、光出射部４３１の長寿命化を図ることができるとともに、ボウル部８０１の表面の全体をより短時間で殺菌することができる。これにより、使用頻度が比較的高いトイレ装置であっても、使用者がトイレ装置１０を使用するごとに、ボウル部８０１の表面を十分に殺菌することができる。
【００４２】
また、ボウル部８０１の表面に光触媒層が形成されている場合には、ボウル部８０１の表面の全体が略均一に且つ略同時に励起状態となる。そのため、防汚性を発揮する励起状態が十分な箇所と、励起状態が不十分な箇所と、が生ずることを抑えることができる。また、ボウル部８０１の表面の全体をより短時間で励起状態とすることができるため、使用頻度が比較的高いトイレ装置であっても、使用者がトイレ装置１０を使用するごとに、ボウル部８０１の表面の防汚状態を維持することができる。
【００４３】
さらに、光源装置４３０が洗浄ノズル４１０に設けられているため、洗浄ノズル４１０を収納する収納スペースとは別の収納スペースをケーシング４００の内部に確保する必要はない。また、光源装置４３０をボウル部８０１に対して進退自在とする駆動装置を、洗浄ノズル４１０の駆動装置とは別に設ける必要はない。そのため、より簡単な構造で紫外線の照射を可能とすることができる。
【００４４】
次に、本実施形態の光源装置４３０の移動動作の具体例について、図面を参照しつつ説明する。  
図３は、本実施形態の光源装置の移動動作の具体例を例示する模式的平面図である。  
なお、図３は、本実施形態のトイレ装置１０を上方から眺めた模式的平面図である。
【００４５】
図３に表した矢印Ａ２のように、本具体例の光源装置４３０は、ボウル部８０１内へ進出した状態において、横方向すなわち左右側方の成分を有する方向に移動することができる。例えば、光源装置４３０は、ケーシング４００内において回動自在に軸支されており、ケーシング４００内における回動軸を中心として図３に表した矢印Ａ２のように回動することができる。
【００４６】
ここで、本願明細書においては、便座２００に座った使用者からみて前方を「前方」とし、便座２００に座った使用者からみて後方を「後方」とする。また、後方を向いて便器８００の前に立った使用者からみて右側を「右側方」とし、左側を「左側方」とする。
【００４７】
本具体例によれば、光源装置４３０は、横移動という比較的簡単な移動動作により光出射部４３１とボウル部８０１の各表面との距離を変化させ、ボウル部８０１の各表面における紫外線の照射強度を変化させることができる。
【００４８】
図４は、本実施形態の光源装置の移動動作の他の具体例を例示する模式的平面図である。  
なお、図４は、本実施形態のトイレ装置１０を上方から眺めた模式的平面図である。
【００４９】
図４に表した矢印Ａ３のように、本具体例の光源装置４３０は、ボウル部８０１内へ進出した状態において、光源装置４３０自身の長手方向あるいは進退方向に移動することができる。例えば、図１に表した矢印Ａ１のように、洗浄ノズル４１０がボウル部８０１内へ進出した状態において、進退方向の移動動作を行うことで、洗浄ノズル４１０に設けられた光源装置４３０は、光源装置４３０自身の長手方向あるいは進退方向に移動することができる。
【００５０】
本具体例によれば、光源装置４３０は、ボウル部８０１内へ進出した状態において、光源装置４３０自身の進退方向に移動することで、ボウル部８０１の前端部８０１ａおよびボウル部８０１の後端部８０１ｂに対して紫外線をより確実に照射することができる。これにより、光源装置４３０は、より確実に、ボウル部８０１の表面の全体に対して略均一に且つ略同時に紫外線を照射することができる。
【００５１】
図５は、本実施形態の光源装置の移動動作のさらに他の具体例を例示する模式的断面図である。  
なお、図５は、本実施形態のトイレ装置１０を右側方から眺めた模式的断面図である。
【００５２】
図５に表した矢印Ａ４のように、本具体例の光源装置４３０は、ボウル部８０１内へ進出した状態において、上下方向の成分を有する方向に移動することができる。例えば、光源装置４３０は、ケーシング４００内において回動自在に軸支されており、ケーシング４００内における回動軸を中心として図５に表した矢印Ａ４のように回動することができる。
【００５３】
本具体例によれば、光源装置４３０は、上下移動という比較的簡単な移動動作により光出射部４３１とボウル部８０１の各表面との距離を変化させ、ボウル部８０１の各表面における紫外線の照射強度を変化させることができる。また、光源装置４３０は、上下移動および図３に関して前述した横移動を行う場合には、ボウル部８０１の細部にわたって紫外線の照射強度を調整することができる。
【００５４】
また、本具体例の光源装置４３０は、上下方向の成分を有する方向への移動範囲のうちの最下端の位置において紫外線の放射を開始し、ボウル部８０１に対する紫外線の照射を開始する。  
これによれば、ボウル部８０１のうちで最も汚れやすいトラップ部８０３の近傍の殺菌および防汚性を紫外線の照射の動作の最初に確保することができる。そのため、紫外線の照射中に使用者がトイレ室に入室しトイレ装置１０を使用しても、ボウル部８０１のうちで最も汚れやすい箇所の殺菌および防汚性をより確実に確保することができる。
【００５５】
次に、本発明の他の実施の形態について説明する。  
図６は、本発明の他の実施の形態にかかるトイレ装置を表す模式的斜視図である。  
また、図７は、本実施形態の光源装置を表す模式的断面図である。  
なお、図７は、図６に表した切断面Ｂ−Ｂにおける断面模式図である。
【００５６】
図６に表したトイレ装置１０ａでは、光源装置４３０ａは、洗浄ノズル４１０とは別体として設けられている。図６に表したように、光源装置４３０ａは、棒形状を有する。図６に表した矢印Ａ５のように、光源装置４３０は、ケーシング４００内からボウル部８０１内へ進出したり、ボウル部８０１内からケーシング４００内へ後退することができる。つまり、光源装置４３０ａは、ボウル部８０１に対して進退自在に設けられている。なお、図６に表したトイレ装置１０ａでは、光源装置４３０ａがボウル部８０１内に進出した状態を表している。
【００５７】
図７に表したように、本実施形態の光源装置４３０ａは、光源装置本体４３３と、光出射部４３１と、を有する。光出射部４３１は、光源装置本体４３３の内部に設けられ、紫外線を放射する。図７に表した矢印のように、光源装置４３０ａを長手方向あるいは進退方向にみたときに、光出射部４３１は、あらゆる方向へ紫外線を放射することができる。一方、光源装置本体４３３は、紫外線に対して透過性を有する材料により形成されている。そのため、光源装置４３０ａがボウル部８０１内へ進出した状態において、光出射部４３１が紫外線を放射すると、ボウル部８０１の全体が光出射部４３１からの紫外線により照射される。
【００５８】
光源装置４３０ａは、紫外線を放射しないときには、ケーシング４００の内部に収納されている。一方、光源装置４３０ａは、紫外線を放射するときには、ケーシング４００内からボウル部８０１内へ進出する。  
その他の構造は、図１および図２に関して前述したトイレ装置１０の構造と同様である。
【００５９】
本実施形態によれば、光源装置４３０ａが洗浄ノズル４１０とは別体として設けられているため、光源装置が洗浄ノズル４１０と一体的に設けられた場合（例えば図１参照）と比較すると、より簡単な構造で光源装置４３０ａの位置をより複雑に変化させることができる。また、光源装置４３０ａは、長手方向（棒形状の軸方向）に進出することができるため、ボウル部８０１の前端部８０１ａの近傍まで移動し、ボウル部８０１の前端部８０１ａに対して紫外線をより確実に照射することができる。
【００６０】
次に、本実施形態の光源装置４３０ａの移動動作の具体例について、図面を参照しつつ説明する。  
図８は、本実施形態の光源装置の移動動作の具体例を例示する模式的平面図である。  
なお、図８は、本実施形態のトイレ装置１０ａを上方から眺めた模式的平面図である。
【００６１】
図８に表した矢印Ａ６のように、本具体例の光源装置４３０ａは、ボウル部８０１内へ進出した状態において、横方向すなわち左右側方の成分を有する方向に移動することができる。例えば、光源装置４３０ａは、ケーシング４００内において回動自在に軸支されており、ケーシング４００内における回動軸を中心として図８に表した矢印Ａ６のように回動することができる。  
これによれば、より簡単な構造で光源装置４３０ａの位置を変化させつつ、図３に関して前述した効果と同様の効果が得られる。
【００６２】
図９は、本実施形態の光源装置の移動動作の他の具体例を例示する模式的平面図である。  
なお、図９は、本実施形態のトイレ装置１０ａを上方から眺めた模式的平面図である。
【００６３】
図９に表した矢印Ａ７のように、本具体例の光源装置４３０ａは、ボウル部８０１内へ進出した状態において、光源装置４３０ａ自身の長手方向あるいは進退方向に移動することができる。  
これによれば、より簡単な構造で光源装置４３０ａの位置を変化させつつ、図４に関して前述した効果と同様の効果が得られる。
【００６４】
また、本実施形態の光源装置４３０ａは、図５に関して前述した光源装置４３０の移動動作と同様に、ボウル部８０１内へ進出した状態において、上下方向の成分を有する方向に移動することができる。また、本実施形態の光源装置４３０ａは、上下方向の成分を有する方向への移動範囲のうちの最下端の位置において紫外線の放射を開始し、ボウル部８０１に対する紫外線の照射を開始する。  
これによれば、より簡単な構造で光源装置４３０ａの位置を変化させつつ、図５に関して前述した効果と同様の効果が得られる。
【００６５】
図１０は、本実施形態の光源装置の移動動作の変形例を例示する模式的断面図である。  なお、図１０は、本実施形態のトイレ装置１０ａを右側方から眺めた模式的断面図である。
【００６６】
本変形例の光源装置４３０ｂは、棒形状を有し、ケーシング４００の下部において左右方向に延在している。図１０に表した矢印Ａ８のように、本変形例の光源装置４３０ｂは、光源装置４３０ｂ自身の長手方向ではなく前後方向に移動することができる。すなわち、光源装置４３０ｂは、水平方向であって光源装置４３０ｂ自身の軸に対して垂直方向に移動することができる。その他の構造は、図６および図７に関して前述した光源装置４３０ａの構造と同様である。
【００６７】
本変形例によれば、光源装置４３０ｂは、前後方向に移動することで、ボウル部８０１の前端部８０１ａおよびボウル部８０１の後端部８０１ｂに対して紫外線をより確実に照射することができる。これにより、光源装置４３０は、より確実に、ボウル部８０１の表面の全体を略均一に且つ略同時に照射することができる。
【００６８】
次に、本発明のさらに他の実施の形態について説明する。  
図１１は、本発明のさらに他の実施の形態にかかるトイレ装置の洗浄ノズルを表す模式的断面図である。
【００６９】
本実施形態にかかるトイレ装置の洗浄ノズル４１０ａは、図２に関して前述した洗浄ノズル４１０に対して反射体４１７をさらに有する。反射体４１７は、例えば洗浄ノズル本体４１１の上方に設けられている。反射体４１７は、例えば平面、あるいは放物面や楕円面などの曲面を有し、光源装置４３０から放射された紫外線を、図１１に表した矢印のように略下方へ反射することができる。その他の構造および光源装置４３０の移動動作は、図１〜図５に関して前述した構造および光源装置４３０の移動動作とそれぞれ同様である。
【００７０】
本実施形態によれば、反射体４１７が光源装置４３０から放射された紫外線を反射することで、例えば樹脂などで形成された便座２００やトイレ装置１０に紫外線が照射されることを抑制することができる。そのため、紫外線が樹脂などに照射された場合に生ずる変色や強度低下などの問題を抑えることができる。
【００７１】
図１２は、本発明のさらに他の実施の形態にかかるトイレ装置の光源装置を表す模式的断面図である。
【００７２】
本実施形態にかかるトイレ装置の光源装置４３０ｂは、図７に関して前述した光源装置４３０ａに対して反射体４３５をさらに有する。反射体４３５は、例えば光源装置本体４３３の上方に設けられている。反射体４３５は、例えば平面、あるいは放物面や楕円面などの曲面を有し、光出射部４３１から放射された紫外線を、図１２に表した矢印のように略下方へ反射することができる。その他の構造および光源装置４３０ｂの移動動作は、図６〜図１０に関して前述した構造および光源装置４３０の移動動作とそれぞれ同様である。
【００７３】
本実施形態によれば、反射体４３５が光出射部４３１から放射された紫外線を反射することで、例えば樹脂などで形成された便座２００やトイレ装置１０ａに紫外線が照射されることを抑制することができる。そのため、紫外線が樹脂などに照射された場合に生ずる変色や強度低下などの問題を抑えることができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、１０ａ、光源装置４３０、４３０ａ、４３０ｂ、および洗浄ノズル４１０、４１０ａなどが備える各要素の形状、寸法、材質、配置などや光源装置４３０、４３０ａ、４３０ｂおよび光出射部４３１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１０、１０ａ トイレ装置、  １００ 衛生洗浄装置、  ２００ 便座、  ３００ 便蓋、  ４００ ケーシング、  ４０１ 着座検知センサ、  ４１０ 洗浄ノズル、  ４１０ａ 洗浄ノズル、  ４１１ 洗浄ノズル本体、  ４１３ 流路、  ４１５ 吐水孔、  ４１７ 反射体、  ４３０、４３０ａ、４３０ｂ 光源装置、  ４３１ 光出射部、  ４３３ 光源装置本体、  ４３５ 反射体、  ８００ 便器、  ８０１ ボウル部、  ８０１ａ 前端部、  ８０１ｂ 後端部、  ８０３ トラップ部
【図１】
2013209861.tif 000003
【図２】
2013209861.tif 000004
【図３】
2013209861.tif 000005
【図４】
2013209861.tif 000006
【図５】
2013209861.tif 000007
【図６】
2013209861.tif 000008
【図７】
2013209861.tif 000009
【図８】
2013209861.tif 000010
【図９】
2013209861.tif 000011
【図１０】
2013209861.tif 000012
【図１１】
2013209861.tif 000013
【図１２】
2013209861.tif 000014